(57)【要約】【課題】  強度を確保しつつも簡易的な構造を有する鋼板ドアを提供する。【解決手段】  建物開口部に設けられた開口部装置に備えられる鋼板ドアであって、室内側の面を形成する板材である室内側鋼板４０と、室外側の面を形成する板材である室外側鋼板７０と、室内側鋼板と室外側鋼板との間に配置される板状の部材であるコア材６５と、室内側鋼板と室外側鋼板の端部に配置され、室内側鋼板及び室外側鋼板に連結される棒状の部材である芯材とを備え、室内側鋼板及び室外側鋼板の４辺の端部のうち少なくとも相対する一対の端部がコの字型に形成されたコの字折り曲げ端部４１、４２を備えることにより当該コの字折り曲げ端部には芯材を配置しないことを特徴とする。【選択図】      図３
2007056575.tif 000002
【特許請求の範囲】
【請求項１】
建物開口部に設けられた開口部装置に備えられた鋼板ドアであって、
室内側の面を形成する板材である室内側鋼板と、
室外側の面を形成する板材である室外側鋼板と、
前記室内側鋼板と前記室外側鋼板との間に配置される板状の部材であるコア材と、
前記室内側鋼板と前記室外側鋼板の端部に配置され、前記室内側鋼板及び前記室外側鋼板に連結される棒状の部材である芯材と、を備え、
前記室内側鋼板及び前記室外側鋼板の４辺の端部のうち少なくとも相対する一対の端部がコの字型に形成されたコの字折り曲げ端部、を備えることにより、
当該コの字折り曲げ端部には前記芯材を配置しないことを特徴とする鋼板ドア。
【請求項２】
前記コの字折り曲げ端部が、前記室外側鋼板及び前記室内側鋼板の上下端部に備えられることを特徴とする請求項１に記載の鋼板ドア。
【請求項３】
前記コの字折り曲げ端部の前記室内側鋼板と前記室外側鋼板との間又は外側に防水手段が備えられることを特徴とする請求項１又は２のいずれか一項に記載の鋼板ドア。
【発明の詳細な説明】
【技術分野】
【０００１】
本発明は、戸建、マンションや公共施設等の建物の開口部に設けられる開口部装置の鋼板ドアに関する。詳しくは、４辺の端部のうちの少なくとも１つの端部に芯材を必要としない芯材レス構造を有する鋼板ドアに関する。
【背景技術】
【０００２】
戸建、マンションや公共施設等の建物の開口部に設けられる開口部装置で、特に玄関等の室内外の出入りの際に利用されるドアには、鋼板ドアが用いられていることが多い。玄関等の室内外を通じる開口部装置は、その性質上、当然に各建物に１つ以上は必ず備えられる設備の１つである。従って、鋼板ドアに関してその要望は様々で多くの数量、及び種類が必要とされている。
【０００３】
従来において、鋼材ドアは次のような構造を有している。図４は、従来における鋼板ドア４３０上端部の主要な部位における断面図である。図４では、紙面左が室内側を、紙面右が室外側を示している。従来の鋼板ドア４３０は、室内側面を形成する矩形板材である室内側鋼板４４０と、室外側面を形成する矩形板材である室外側鋼板４７０とを備えている。そしてこの室内側鋼板４４０と室外側鋼板４７０との間に厚板の部材であるコア材４６５が配置される。また、室内側鋼板４４０及び室外側鋼板４７０の端部はその４辺がＬ字型に折り曲げられている。そして、この折り曲げられた４辺の端部に沿って内側にコの字型断面を有する棒材である鉄製芯材４５０が、室内側鋼板４４０の折り曲げ端部と室外側鋼板４７０の折り曲げ端部とを渡すように配置される。さらに、室内側鋼板４４０と鉄製芯材４５０と、及び室外側鋼板４７０と鉄製芯材４５０とがリベット４９０、４９０によって連結される。又、リベット４９０、４９０のかわりにネジ等が利用されることもある。ここでは鋼板ドア４３０の上端部分についてのみ説明したが、鋼板ドア４３０では、当該鋼板ドア４３０の４辺が同様の構造を有している。
【０００４】
このような構造とすることにより、鋼板ドア４３０の強度を鉄製芯材４５０、室内側鋼板４４０及び室外側鋼板４７０により確保して鋼板ドア４３０のねじれ等を防止していた。これら従来における鋼板ドアの構造については、特に開示している文献はないが、当業者によって通常に行われているものであり、実際の鋼板ドアに適用されているところである。
【発明の開示】
【発明が解決しようとする課題】
【０００５】
しかし、図４に示したような従来の鋼板ドア４３０では上述のように鉄製芯材４５０及び、リベット４９０、４９０とを有していた。従って、鉄製芯材４５０及びリベット４９０、４９０のコスト、鉄製芯材４５０を枠状に組む工程、及び鉄製芯材４５０と室内側鋼板４４０と、及び鉄製芯材４５０と室外側鋼板４７０とを接合する工程を有し、コスト及び工数が多くかかるという問題があった。これは上述のように多くの数量、及び種類が必要とされる鋼板ドアにおいて大きな問題となっていた。
【０００６】
そこで、本発明は強度を確保しつつも簡易的な構造を有する鋼板ドアを提供することを課題とする。
【課題を解決するための手段】
【０００７】
発明者らは、鋭意検討の結果、鋼板ドアの室内側鋼板及び室外側鋼板の端部をこれまでと異なる形状とすることにより、強度を確保しつつ簡易的な構造を有する鋼板ドアを開発した。以下、本発明について説明する。なお、本発明の理解を容易にするために添付図面の参照符号を括弧書きにて付記するが、それにより本発明が図示の形態に限定されるものではない。
【０００８】
請求項１の発明は、建物開口部に設けられた開口部装置（１）に備えられた鋼板ドア（３０）であって、室内側の面を形成する板材である室内側鋼板（４０）と、室外側の面を形成する板材である室外側鋼板（７０）と、室内側鋼板と室外側鋼板との間に配置される板状の部材であるコア材（６５）と、室内側鋼板と室外側鋼板の端部に配置され、室内側鋼板及び室外側鋼板に連結される棒状の部材である芯材（５１、５２）とを備え、室内側鋼板及び室外側鋼板の４辺の端部のうち少なくとも相対する一対の端部がコの字型に形成されたコの字折り曲げ端部（４１、４２、７１、７２）を備えることにより、当該コの字折り曲げ端部には芯材を配置しないことを特徴とする鋼板ドアを提供することにより前記課題を解決する。
【０００９】
請求項２の発明は、請求項１に記載の鋼板ドア（３０）のコの字折り曲げ端部（４１、４２、７１、７２）が、室外側鋼板（４０）及び室内側鋼板（７０）の上下端部に備えられることを特徴とする。
【００１０】
請求項３の発明は、請求項１に記載の鋼板ドア（３０）のコの字折り曲げ端部（４１、４２、７１、７２）の室内側鋼板と室外側鋼板との間又は外側に防水手段（８０）が備えられることを特徴とする。
【発明の効果】
【００１１】
請求項１の発明によれば、芯材及び芯材を連結するための例えばリベット等の部材を減らすことができ、加えてその取付工程等もなくすことができる。これによりコスト低減可能で簡易的な構造の鋼板ドア３０を提供することができる。さらに、室内側、室外側鋼板の端部をコの字型に加工すれば、鋼板ドアのねじれや曲げに対する強度を高めることができ、芯材を備えなくても高強度な鋼板ドアを提供することができる。
【００１２】
請求項２の発明によれば、より効果的にコスト低減可能で強度を確保しつつ簡易的な構造の鋼板ドアを提供することができる。
【００１３】
請求項３の発明によれば防水性に優れた鋼板ドアとなり、鋼板ドアの内側に水分が入ることによるコア材の劣化を防ぐことができる。これによりコア材、ついては鋼板ドアの耐用年数を延ばすことができ、利用者にとって利得の高い鋼板ドアを提供することができる。また、コア材の耐水性を大きくとる必要がなくなるので、比較的安価なコア材とすることができ、これによってもコスト低減が可能な鋼板ドアとすることができる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は１つの実施形態にかかる本発明の鋼板ドア３０が備えられた開口部装置１を室外側から見た正面図である。開口部装置１は、建物開口部の４辺に沿って取り付けられた枠材１１、１２、１３、１４によって形成された枠体１０と、当該枠体１０の内側に配置される鋼板ドア３０とを備えている。鋼板ドア３０は、室外視で施錠装置２１と把手２２とを備えている。鋼板ドア３０の構造については後で詳しく説明する。
【００１７】
以上のような開口部装置１により、使用者は鋼板ドア３０を把手２２を掴んで例えば室外側に回動させて、建物開口部からの出入りをすることが可能となる。また、施錠装置２１により鋼板ドア３０の開閉を禁止することができ、室内外の出入りを禁止して防犯が可能となる。図１では、開口部装置１の室外視正面図を示したが、室内側においても、施錠装置２１の操作が可能であるとともに室内側把手も備えられ鋼板ドア３０の操作ができるようにされている。
【００１８】
次に鋼板ドア３０の構造について説明する。図２は、鋼板ドア３０の分解斜視図である。図２では紙面左が室内側、紙面右が室外側を示している。鋼板ドア３０は、室内側鋼板４０と、芯材５１、５２と、ロック部芯材６０と、コア材６５と、室外側鋼板７０とを主要部材として備えている。この他にも図１で示した施錠装置２１や把手２２等の部材が備えられるがここでは省略する。室内側鋼板４０及び室外側鋼板７０は、鋼板の４辺の端部を折り曲げる端部加工が施されており、上端コの字折り曲げ端部４１、７１と、下端コの字折り曲げ端部４２、７２と、左端折り曲げ端部４３、７３と、右端折り曲げ端部４４、７４とを有している。このうち上端コの字折り曲げ端部４１、７１及び下端コの字折り曲げ端部４２、７２は、端部がコの字型の断面となるように折り曲げられている。一方、左端折り曲げ端部４３、７３及び右端折り曲げ端部４４、７４は断面がＬ字型となるように折り曲げられている。このように板材の４辺を平面部４５、７５に対して直交するように起立させることにより浅い箱体が形成される。後述するように当該箱体とされた室内側鋼板４０及び室外側鋼板７０の内側に各部材が配置される。各部材の配置は後で詳しく説明する。このとき、施錠装置が備えられる部位の左端折り曲げ端部４３、７３には当該施錠装置からの例えばデッドボルトのような部材を突没されるため、切欠き等が設けられている。また、平面部４５、７５には施錠装置のサムターンやシリンダー錠等の操作部が配置される位置に孔４６、７６が開けられている。
【００１９】
芯材５１、５２は、コの字型断面を有する棒状の部材で鋼板ドア３０の幅方向両端部に、コの字型の断面における開口部分が向き合うように立設されている。また、芯材５１には側面に孔５１ａが設けられている。当該孔５１ａの部位に不図示の施錠装置等が配置される。上述のように例えばデッドボルト等が当該孔５１ａから突没できる。また、ロック部芯材６０は、コの字型の断面を有する部材で対向する２つの面に貫通孔が設けられている。当該ロック部芯材６０の内側に不図示の施錠装置が配置される。この貫通孔を通じて施錠装置の例えばサムターンやシリンダー錠等の操作部が鋼板ドア３０から突出して配置される。
【００２０】
コア材６５は、板状の部材で鋼板ドア３０の内側を満たすように配置される。従って、鋼板ドア３０の内側に備えられる部材に合わせてカットされたり変形されたりしている。コア材６５は、断熱性や防火性を有する材質が適用される。これには例えばペーパーハニカム、ＥＰＳ又はウレタン等を挙げることができる。
【００２１】
このような構成を有する鋼板ドア３０の各要素は例えば次に示すように組み立てられる。まず、内側に施錠装置が取り付けられたロック部芯材６０が、芯材５１の孔５１ａの位置に合わせられて鋼板ドア３０の内側に取り付けられる。次に室内側鋼板４０の箱体とされた内側で左端折り曲げ端部４３の内側に接して芯材５１が載置される。このとき芯材５１はコの字断面における開口部分を右端折り曲げ端部４４の方に向けて配置される。同様に室内側鋼板４０の箱体とされた内側で右端折り曲げ端部４４の内側に接して芯材５２がコの字断面における開口部分を左端折り曲げ端部４３に向けて載置される。さらに上端コの字折り曲げ端部４１、下端コの字折り曲げ端部４２、芯材５１及び芯材５２で囲まれた内側にコア材６５を配置する。そして室外側鋼板７０を上記組み立てられた部材に室外側から被せるように載置する。このときコア材６５と室内側鋼板４０と、及びコア材６５と室外側鋼板７０とは接着材により接着される。
【００２２】
さらに左端折り曲げ端部４３、７３及び右端折り曲げ端部４４、７４は、その外側からリベット等により芯材５１、５２に連結される。このうち、左端折り曲げ端部４３、７３は芯材５１と連結され、右端折り曲げ端部４４、７４は芯材５２と連結される。これにより室内側鋼板４０と室外側鋼板７０とは、コア材６５及び芯材５１、５２を介して連結される。そしてさらに把手等が適宜取り付けられる。
【００２３】
このように鋼板ドア３０では、芯材として幅方向左右に芯材５１、５２が備えられるのみで、上下には芯材を必要としない。従って、上下芯材及び当該上下芯材を取り付けるためのリベット材の費用を削減することができる。加えてその組立工程もなくすことができ、全体としてコストダウンが可能な鋼板ドア３０を提供することができる。
【００２４】
次に、組み立てられた状態における鋼板ドア３０の上部及び下部の構造について説明する。図３は、鋼板ドア３０の幅方向略中央における縦断面のうち上部に着目して示した図である。図３では紙面左が室内側、紙面右が室外側である。以下、鋼板ドア３０の上端部についてのみ説明するが下端部も上下方向の向きが異なるのみで、同様の構造を有している。上述のように鋼板ドア３０の室内側鋼板４０の上端部及び室外側鋼板７０の上端部はコの字型に端部加工されており、水平部４１ａ、７１ａと、鉛直部４１ｂ、７１ｂとを有している。そして鋼板ドア３０が組み立てられる際には、室内側鋼板４０の垂直部４１ｂと室外側鋼板７１ｂとが対向する姿勢で組み立てられる。そして室内側鋼板４０と室外側鋼板７０に挟まれて、すなわち平面部４５と平面部７５との間にコア材６５が配置される。コア材６５と平面部４５、７５とは接着材で固定して取り付けられている。さらに、鉛直部４１ｂと鉛直部７１ｂとの間には止水手段であるシール材８０が挟まれて配置されている。
【００２５】
従来の鋼板ドアでは上述したように、図４に示した鋼板ドア４３０において、上端部及び下端部では、室内側鋼板４４０及び室外側鋼板４７０の端部はＬ字型に曲げられているのみであった。そして、内側にコの字型の断面を有する鉄製芯材４５０を内側に配置して、室内側鋼板４４０及び室外側鋼板４７０のＬ字型に曲げられた部位と鉄製芯材４５０とをリベット４９０、４９０等を用いて固定していた。
【００２６】
図３に戻って本発明の鋼板ドア３０を見ると上端部に芯材を必要としていない。これにより、上述したようにコストダウン可能である鋼板ドア３０を提供することができる。これは、鋼板ドア３０の上端をコの字型に加工しているので、Ｌ字型に曲げられた場合よりも鋼板ドア３０のねじれに対して高い強度を得ることができることによる。よって、上下端部に芯材を配置しなくても強度を得ることのできる鋼板ドア３０を提供することができる。
【００２７】
さらには、図４に見られるように、従来では上端部にも芯材が配置されていたため、当該芯材部分にはコア材を配置することができなかった。しかし、図３に示した本発明の鋼板３０では芯材を配置していないので、コア材６５を上端部に近づけて配置することができる。これは、コア材６５が、鋼板４０、７０と接着材により連結され、このことが鋼板ドア３０のねじれや曲げなどに対する強度の一部を受け持っていることから、コア材６５を上下端部に近い位置まで配置可能であることによっても、鋼板ドア３０のねじれ等に対する強度を向上させることが可能となる。
【００２８】
さらに、鋼板ドア３０では、鉛直部４１ｂと鉛直部７１ｂとがつき合わせられるように配置されているので、外部から水分等が入る可能性のある部位が一直線状に一本形成されるのみであり、図４で示した従来の鋼板ドアに比べて、かかる部位が非常に少ない。加えて、シール材８０も備えられているので、本発明は、非常に防水性に優れた鋼板ドア３０を提供することもできる。防水性に優れた鋼板ドア３０とすることにより、コア材６５を水分等から保護することができ、コア材６５、ついては鋼板ドア３０の耐用年数を大きく伸ばすことができ、使用者にとって非常に利得の高い鋼板ドア３０とすることができる。また、コア材６５の材質に関して、耐水性等を大きくする必要もなくなり、比較的安価なコア材を適用することも可能となる。これによってもコスト低減が可能な鋼板ドア６０を提供することができる。
【００２９】
ここでシール材８０の材質は防水性に優れたあらゆる材質のシール材を適用することができる。このシール材の材質として、例えば発泡ポリエチレン、ブチルテープ、ＥＰＤＭゴム発泡等を挙げることができる。また、シール材８０は鉛直部４１ｂと鉛直部７１ｂとの間に挟まれるように配置される必要はなく、例えば当該部位をシール材を外側から被せるように取り付けても良い。
【００３０】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う鋼板ドアもまた本発明の技術的範囲に包含されるものとして理解されなければならない。
【図面の簡単な説明】
【００３１】
【図１】１つの実施形態にかかる本発明の鋼板ドアを備えた開口部装置を室外側から見た正面図である。
【図２】図１に示した鋼板ドアが備える主要部材を示す分解斜視図である。
【図３】鋼板ドアの垂直断面のうち上部に注目して示した図である。
【図４】従来の鋼板ドアの垂直断面のうち上部に注目して示した図である。
【符号の説明】
【００３２】
１  開口部装置
１０  枠体
２１  施錠装置
２２  把手
３０  鋼板ドア
４０  室内側鋼板
４１  上端コの字折り曲げ端部
４２  下端コの字折り曲げ端部
４３  左端折り曲げ端部
４４  右端折り曲げ端部
４５  平面部
５１  芯材
５２  芯材
６０  ロック部芯材
６５  コア材
７０  室外側鋼板
７１  上端コの字折り曲げ端部
７２  下端コの字折り曲げ端部
７３  左端折り曲げ端部
７４  右端折り曲げ端部
７５  平面部
８０  シール材
【図１】
2007056575.tif 000003
【図２】
2007056575.tif 000004
【図３】
2007056575.tif 000005
【図４】
2007056575.tif 000006